(57)【特許請求の範囲】
【請求項１】
少なくとも一方の妻側が寄棟屋根状とされた屋根に用いられ、かつ、屋根の裏面側に屋根の傾斜方向に沿って斜めに配置された登り部と、該登り部の上端部から水平に延出した水平部とを備えたベント梁が少なくとも一本以上用いられた小屋組構造であって、
屋根の傾斜方向に沿って斜めに配置された登り梁もしくは前記ベント梁である二本一組の支持梁を一組以上備え、
二本の支持梁の下側の端部が外壁の互いに対向する部分の上端部にそれぞれ接合されて支持され、かつ、二本の支持梁の上側の端部どうしが互いに接合されることにより、二本の支持梁が外壁の互いに対向する部分どうしの間に平面視してほぼ直線状に掛け渡されるように配置され、
前記ベント梁及び水平な梁のうちの少なくとも一方である複数の接合梁が、直接もしくは他の接合梁を介して前記二本の支持梁に接合されていることを特徴とする小屋組構造。
【請求項２】
請求項１記載の小屋組構造において、
前記屋根の基本構造が寄棟屋根とされ、
二本の支持梁が平面視して棟方向に直交するように配置され、かつ、
二本の支持梁の上端部が平面視して前記寄棟屋根の棟のほぼ中央部で互いに接合されていることを特徴とする小屋組構造。
【請求項３】
請求項２記載の小屋組構造において、
前記寄棟屋根の四方に流れる各屋根面の同じ高さ位置に、一本もしくは連結された複数本の接合梁が前記屋根面を横断するように隅棟から隅棟まで配置されることにより、これら接合梁が四角枠状に配置されていることを特徴とする小屋組構造。
【請求項４】
請求項１記載の小屋組構造において、
前記屋根が一方の妻側が寄棟状とされ、他方の妻側が切妻状とされた片寄棟屋根とされ、
前記支持梁は、寄棟状の一方の妻側に流れる妻側屋根面に水平部が平面視して棟方向に直交するように配置され、かつ、該妻側屋根面に隣接する平側屋根面に登り部が配置されたベント梁とされ、
前記平側の二つの屋根面の前記支持梁の水平部と同じ高さ位置に、それぞれ水平な梁とされた前記接合梁が配置されるとともに、これら接合梁の一方の端部が前記支持梁に接合されて、これら接合梁及び前記支持梁の水平部がコ字状に配置されていることを特徴とする小屋組構造。
【請求項５】
請求項１から３のいずれかに記載の小屋組構造において、
前記寄棟屋根が、主となる主屋根と該主屋根の一方の平側の屋根面から延出し、前記主屋根の棟と平面視して直交する方向に沿うとともに、前記主屋根の棟より低い位置に棟を有し、かつ、主屋根の反対の妻側が寄棟状とされた従屋根とを備え、
二本の前記支持梁のうちの一方の支持梁が、従屋根の妻側に流れる妻側屋根面の傾斜方向に沿った登り部と、従屋根の棟に沿って配置される水平部とを有するベント梁とされ、
他方の支持梁が、主屋根の従屋根と反対側の平側屋根面に沿った登り部を備えるとともに、前記一方の支持梁の水平部と同じ高さ位置の水平部を有するベント梁とされていることを特徴とする小屋組構造。
【発明の詳細な説明】
【０００１】
【発明の属する技術分野】
本発明は、屋根裏空間を確保することができる小屋組構造に関する。
【０００２】
【背景の技術】
従来、家屋などにおける屋根支持には、水平下弦材である陸梁、陸梁上に垂設された束、屋根傾斜方向に沿って斜めに設置された合掌、などにより構成される小屋組が用いられている。しかし、従来の小屋組においては、陸梁や束によって屋根内部の空間が分割されるため、連続した屋根裏空間を確保することができなかった。
【０００３】
そこで、屋根裏の空間を確保するため、上記小屋組に代わる屋根構造が提案されている。例えば、特開平４−９３４４０号公報に記載の小屋組構造体においては、曲がった形状に形成されたベント梁（ベント＝曲がった）が用いられている。
【０００４】
上記ベント梁は、棟木方向に配設される頂部と、桁行方向の屋根勾配に対応した傾斜部とを、補強用のプレース部によって連結して構成されている。ベント梁の一端（頂部の先端部）は、内壁体の上に設けられるトラスなどの屋根支持体に連結され、ベント梁の他端（傾斜部の先端部）は、外壁体に連結されている。この構成とすることで、架設されたベント梁の下方の空間には、束や陸梁などを設ける必要がなく、屋根裏空間を確保することができる。
【０００５】
【発明が解決しようとする課題】
しかしながら、上記公報の小屋組構造体においては、ベント梁の下方の屋根裏部分には広いスペースが確保できるものの、トラスなどの屋根支持体が設置されている部分では、屋根内部の空間が分割されてしまっていた。
【０００６】
特に、棟木方向が比較的長い家屋では、屋根を支持するために、トラスや屋切パネルなどの屋根支持体を複数設ける必要があった。したがって、屋根内部の空間が広いにも関わらず、連続した広い屋根裏空間を得ることができなかった。
【０００７】
本発明は上記事情に鑑みてなされたものであり、棟木方向が比較的長い家屋においても、連続した広い屋根裏空間を確保することができる小屋組構造を提供することを目的とする。
【０００８】
【課題を解決するための手段】
上記目的を達成するために、本発明の請求項１記載の小屋組構造は、例えば図１から図５に示されるように、少なくとも一方の妻側Ａが寄棟屋根状とされた屋根に用いられ、かつ、屋根の裏面側に屋根の傾斜方向に沿って斜めに配置された登り部２ｐと、該登り部２ｐの上端部（折り曲げ部２ｒ）から水平に延出した水平部２ｑとを備えたベント梁２が少なくとも一本以上用いられた小屋組構造であって、屋根の傾斜方向に沿って斜めに配置された登り梁１もしくは前記ベント梁２である二本一組の支持梁１０、１０を一組以上備え、二本の支持梁１０、１０の下側の端部（接合部１０ｂ、１０ｂ）が外壁の互いに対向する部分の上端部にそれぞれ接合されて支持され、かつ、二本の支持梁１０、１０の上側の端部（接合部１０ａ、１０ａ）どうしが互いに接合されることにより、二本の支持梁１０、１０が外壁の互いに対向する部分どうしの間に平面視してほぼ直線状に掛け渡されるように配置され、前記ベント梁２及び水平な梁３のうちの少なくとも一方である複数の接合梁１２…、１３、１３が、直接もしくは他の接合梁を介して前記二本の支持梁１０、１０に接合されていることを特徴とする。
【０００９】
ここで、ベント梁には、例えば図４に示される登り部２ｐと水平部２ｑとを一つずつ備えたベント梁２や、図９の（ｂ）に示される二つの登り部４０’ｐおよび一つの水平部４０’ｑを備えた山型ベント梁４０’などが含まれる。
【００１０】
また、ベント梁には、小屋組配置前に、登り梁１および水平な梁３を、あらかじめ接合あるいは一体成形して、ベント梁２や山型ベント梁４０’とされたものも含まれる。すなわち、もともとは登り梁１および水平な梁３であっても、小屋組配置前に組み合わされてベント梁の形状とされたものは、ベント梁とみなす。
【００１１】
また、外壁の互いに対向する部分としては、例えばパネル工法における壁パネルや、外壁部分に立設された柱の一部など、が挙げられる。
【００１２】
請求項１の小屋組構造においては、二本の支持梁１０、１０が外壁の互いに対向する部分どうしの間に平面視してほぼ直線状に掛け渡されるように配置されているので、二本の支持梁１０、１０が掛け渡された一方の外壁の上端部から他方の外壁の上端部に至るまで、二本の支持梁１０、１０下方の屋根裏空間を確保することができる。さらに、複数の接合梁１２…、１３、１３が、直接もしくは他の接合梁を介して前記二本の支持梁１０、１０に接合されているので、二本の支持梁１０、１０下方の屋根裏空間と、接合梁１２…、１３、１３下方の屋根裏空間とが連続する。したがって、棟木方向および梁間方向において、連続した広い屋根裏空間を確保することができる。
【００１３】
また、例えば、上述の特開平４−９３４４０号公報に記載の小屋組構造体においては、ベント梁の一端が内壁体の上方に設けられたトラスや屋切パネルなどの屋根支持体に連結され、ベント梁の他端が外壁体に連結されていた。前記内壁体は、間取りによって、家屋平面上のどこに配置されるか決定されてしまう。言い換えれば、ほぼ同じような形状の住宅においても間取りによって内壁体の位置が異なるため、住宅の形状と間取りによって異なる内壁体上の屋根支持体から外壁体までの距離に応じて、さまざまなサイズや長さのベント梁を製造しなければならなかった。
【００１４】
これに対し、請求項１の小屋組構造においては、接合梁１２…、１３、１３が、直接もしくは他の接合梁を介して二本の支持梁１０、１０に接合されているので、従来と異なり、内壁体上方の屋根支持体に連結されずに小屋組構造を構成できる。したがって、間取りによって制約される内壁体の位置に関係なく、小屋組構造を構成する梁１０、１２、１３同士を、全体にバランス良く配置できるため、対称的に梁１０、１２、１３を配置でき、梁１０、１２、１３の長さ、サイズなどを共通化できる。
【００１５】
なお、例えば図２に示されるように、登り梁である二本の支持梁１０、１０を、あらかじめ接合あるいは一体成形することにより、山型梁１０’として配置するものとしてもよい。
【００１６】
また、例えば図９に示されるように、ベント梁である二本の支持梁４０、４０を、あらかじめ接合あるいは一体成形することにより、山型ベント梁４０’として配置するものとしてもよい。
【００１７】
また、登り梁１とベント梁２とを組み合わせて二本の支持梁を構成しても良い。また、二本の支持梁としての登り梁１およびベント梁２を、あらかじめ接合あるいは一体成形することにより、例えば図９の（ｂ）に示される山型ベント梁４０’として配置するものとしてもよい。
【００１８】
請求項２記載の小屋組構造は、請求項１記載の小屋組構造において、前記屋根の基本構造が寄棟屋根とされ、二本の支持梁１０、１０が平面視して棟方向Ｘに直交するように配置され、かつ、二本の支持梁１０、１０の上端部１０ａ、１０ａが平面視して前記寄棟屋根の棟１４のほぼ中央部で互いに接合されていることを特徴とする。
【００１９】
ここで、寄棟屋根とは、少なくとも四方に流れる屋根を有するものである。基本構造が寄棟屋根とされた屋根には、例えば、請求項５（図１０）に記載の、主となる主屋根５と、主屋根５の一方の平側Ｂ１の屋根面５７Ｂから延出した従屋根６とを備えた屋根や、寄棟雁行屋根、入母屋屋根などが含まれる。
【００２０】
請求項２の小屋組構造においては、図１に示されるように、二本の支持梁１０、１０が平面視して棟方向Ｘに直交するように配置され、かつ、二本の支持梁１０、１０の上端部１０ａ、１０ａが平面視して寄棟屋根の棟１４のほぼ中央部で互いに接合されているので、二本の支持梁１０、１０を中心として、接合梁１２…、１３、１３の配置を対称的なものとすることができる。
【００２１】
また、棟木方向が比較的長い家屋においても、棟方向Ｘに連続した屋根裏空間を確保することができ、屋根内部の広い空間を有効に利用することができる。
【００２２】
請求項３記載の小屋組構造は、請求項２記載の小屋組構造において、前記寄棟屋根の四方に流れる各屋根面１６Ａ、１６Ａ、１６Ｂ、１６Ｂの同じ高さ位置に、一本もしくは連結された複数本の接合梁１２…、１３、１３が前記屋根面１６Ａ、１６Ａ、１６Ｂ、１６Ｂを横断するように隅棟１５から隅棟１５まで配置されることにより、これら接合梁１２…、１３、１３が四角枠状に配置されていることを特徴とする。
【００２３】
請求項３の小屋組構造においては、寄棟屋根の四方に流れる各屋根面１６Ａ、１６Ａ、１６Ｂ、１６Ｂに、接合梁１２…、１３、１３が四角枠状に配置されているので、各屋根面１６Ａ、１６Ａ、１６Ｂ、１６Ｂに少なくとも一本、水平とされる梁（接合梁１２の水平部、接合梁１３）を設けることができる。
【００２４】
また、各屋根面１６Ａ、１６Ａ、１６Ｂ、１６Ｂの同じ高さ位置に接合梁１２…、１３、１３が四角枠状に配置されているので、棟１４から軒にわたって配置される屋根面構成部材を、少なくとも棟１４からの距離が同じである接合梁１２…、１３、１３によって、下方から支持することができる。
例えば、パネル工法において、棟１４から接合梁１２、１３にわたって掛け渡される屋根パネルと、接合梁１２、１３から軒にわたって掛け渡される屋根パネルとを配置する場合などに、少なくとも、棟１４から接合梁１２、１３にわたって配置される屋根パネルにおいては、各屋根面１６Ａ、１６Ａ、１６Ｂ、１６Ｂで共通のサイズのパネルを用いることができ、部材の共通化を図ることができる。
【００２５】
請求項４記載の小屋組構造は、請求項１記載の小屋組構造において、例えば図４、図５および図８に示されるように、前記屋根が一方の妻側Ａ１が寄棟状とされ、他方の妻側Ａ２が切妻状とされた片寄棟屋根とされ、前記支持梁４０、４０は、寄棟状の一方の妻側Ａ１に流れる妻側屋根面４６Ａに水平部２ｑが平面視して棟方向Ｘに直交するように配置され、かつ、該妻側屋根面４６Ａに隣接する平側Ｂの屋根面４６Ｂに登り部２ｐが配置されたベント梁２とされ、前記平側Ｂの二つの屋根面４６Ｂ、４６Ｂの前記支持梁４０の水平部（２ｑ）と同じ高さ位置に、それぞれ水平な梁３とされた前記接合梁４３、４３が配置されるとともに、これら接合梁４３の一方の端部が前記支持梁４０に接合されて、これら接合梁４３及び前記支持梁４０の水平部がコ字状に配置されていることを特徴とする。
【００２６】
請求項４の小屋組構造においては、支持梁４０は、妻側屋根面４６Ａに水平部２ｑが配置されたベント梁２とされ、平側Ｂの二つの屋根面４６Ｂ、４６Ｂに、それぞれ水平な梁３とされた接合梁４３、４３が配置され、これら接合梁４３及び支持梁４０の水平部がコ字状に配置されているので、各屋根面４６Ａ、４６Ｂ、４６Ｂに少なくとも一本、水平とされる梁（支持梁４０の水平部、接合梁４３）を設けることができる。
【００２７】
また、平側Ｂの二つの屋根面４６Ｂ、４６Ｂの支持梁４０の水平部（２ｑ）と同じ高さ位置に、それぞれ水平な梁３とされた接合梁４３、４３が配置されているので、請求項３の小屋組構造の場合と同様に、棟４４から軒にわたって配置される屋根面構成部材を、少なくとも棟４４からの距離が同じである接合梁４３および支持梁４０の水平部によって、下方から支持することができる。
【００２８】
請求項５記載の小屋組構造は、請求項１から３のいずれかに記載の小屋組構造において、例えば図４、図１０および図１１に示されるように、前記寄棟屋根が、主となる主屋根５と該主屋根５の一方の平側Ｂ１の屋根面５７Ｂから延出し、前記主屋根５の棟５４と平面視して直交する方向に沿うとともに、前記主屋根５の棟５４より低い位置に棟６４を有し、かつ、主屋根５の反対の妻側（主屋根５の一方の平側Ｂ１）が寄棟状とされた従屋根６とを備え、二本の前記支持梁５０、６０のうちの一方の支持梁６０が、従屋根６の妻側Ｂ１に流れる妻側屋根面６６Ｂの傾斜方向に沿った登り部２ｐと、従屋根６の棟６４に沿って配置される水平部２ｑとを有するベント梁２とされ、他方の支持梁５０が、主屋根５の従屋根６と反対側の平側Ｂ２の屋根面５６Ｂに沿った登り部２ｐを備えるとともに、前記一方の支持梁６０の水平部（２ｑ）と同じ高さ位置の水平部２ｑを有するベント梁２とされていることを特徴とする。
【００２９】
請求項５の小屋組構造においては、一方の支持梁６０が接合された外壁（従屋根６の妻側Ｂ１の外壁）から、他方の支持梁５０が接合された外壁（主屋根５の従屋根６と反対側の平側Ｂ２の外壁）に至るまで、二本の支持梁５０、６０下方の屋根裏空間を確保することができる。したがって、従屋根６の屋根裏と、主屋根５の屋根裏とが連続するので、屋根内部の広い空間を有効に利用することができる。
【００３０】
【発明の実施の形態】
＜第一の実施形態例＞
以下に、本発明の第一の実施形態例の小屋組構造について、図１から図５を参照して説明する。
【００３１】
図１は、第一例の小屋組構造を示す平面図である。第一例の小屋組構造は、四方に流れる屋根面１６Ａ、１６Ａ、１６Ｂ、１６Ｂを有する寄棟屋根に用いられている。この小屋組構造は、二本の支持梁１０、１０と、接合梁１２…、１３、１３とを備えている。なお、図１中、１８Ａは、妻側Ａの外壁の位置を示す外壁線、１８Ｂは、平側Ｂの外壁の位置を示す外壁線である。
【００３２】
支持梁１０は、図３に示される登り梁１とほぼ同様の構成となっている。図３は、登り梁１の側面図である。登り梁１は、Ｈ型鋼の両端がそれぞれ切断加工された形状となっている。登り梁１の上端および下端は、他の梁、外壁体などの構造体に対して接合される接合部１ａ、１ｂである。
【００３３】
図１に示されるように、二本の支持梁１０、１０（登り梁１）は、平面視してほぼ直線状に掛け渡され、かつ、棟方向Ｘに直交するように配置されている。支持梁１０は、平側Ｂの屋根面１６Ｂの裏面側に、屋根の傾斜方向に沿って斜めに配置されている。
【００３４】
支持梁１０の下側の端部となる接合部１０ｂ（１ｂ）は、外壁線１８Ｂ、１８Ｂの位置に配置された外壁の、互いに対向する部分の上端部にそれぞれ接合されて支持されている。なお、外壁の互いに対向する部分としては、例えば、外壁に用いられた壁パネルや、外壁部分に立設された柱などが挙げられる。
【００３５】
また、二本の支持梁１０、１０の上側の端部となる接合部１０ａ、１０ａ（１ａ）どうしは、平面視して寄棟屋根の棟１４のほぼ中央部で、互いに接合されている。このようにして、外壁の互いに対向する部分どうしの間に、図２の（ａ）に示されるように、二本の支持梁１０、１０によって合掌が形成されている。
【００３６】
なお、梁の接合部の接合は、例えば、梁受け金物を介して、ボルトナットで締結し固定することで行われるが、このほか、従来より周知の方法によって接合されるものとしても良い。
【００３７】
また、図２に示されるように、登り梁である二本の支持梁１０、１０を、あらかじめ接合あるいは一体成形することにより、山型梁１０’として配置するものとしてもよい。
【００３８】
接合梁１２は、図４に示されるベント梁２とほぼ同様の構成となっている。図４は、ベント梁２の側面図である。ベント梁２は、長手方向における中間でＨ型鋼を折り曲げた形状となっている。ベント梁２は、斜めに配置される登り部２ｐと、登り部２ｐの上端部となる折り曲げ部２ｒから水平に延出した水平部２ｑとを備えたものである。ベント梁２の上側の端部および下側の端部は、他の梁、外壁体などの構造体に対して接合される接合部２ａ、２ｂである。
【００３９】
図１に示されるように、接合梁１２、１２（ベント梁２）は、支持梁１０、１０に対して対称となるように、各妻側Ａに二本ずつ設けられている。各妻側Ａにおいて、棟１４に対して対称となるように、各平側Ｂに接合梁１２が一本ずつ設けられている。
【００４０】
接合梁１２の登り部（２ｐ）は、妻側Ａの屋根面１６Ａの裏面側に、屋根の傾斜方向に沿って斜めに配置されている。また、接合梁１２の水平部（２ｑ）は、平側Ｂの屋根面１６Ｂの裏面側に、屋根に沿って水平に配置されている。接合梁１２の折り曲げ部（２ｒ）は、隅棟１５の裏側に配置されている。
【００４１】
接合梁１２の下側の端部となる接合部１２ｂ（２ｂ）は、妻側Ａの外壁（外壁線１８Ａ）の上端部にそれぞれ接合されて支持されている。また、接合梁１２の上側の端部となる接合部１２ａ（２ａ）は、支持梁１０に対して側方から突き合わせるようにして接合されている。
【００４２】
なお、接合梁１２は、図３に示される登り梁１と、図５に示される水平な梁３とを、小屋組配置前にあらかじめ接合あるいは一体成形して、ベント梁２の形状としたものであってもよい。
【００４３】
接合梁１３は、図５に示される水平な梁３とほぼ同様の構成となっている。図５は、水平な梁３の側面図である。水平な梁３は、Ｈ型鋼の長さが設定された形状となっている。水平な梁３の両端は、他の梁、外壁体などの構造体に対して接合される接合部３ａ、３ａである。
【００４４】
図１に示されるように、接合梁１３（水平な梁３）は、支持梁１０、１０に対して対称となるように、各妻側Ａに一本ずつ配置されている。接合梁１３は、妻側Ａの屋根面１６Ａの裏面側に、屋根に沿って水平に配置されている。
【００４５】
接合梁１３は、その両端となる接合部（３ａ、３ａ）が、接合梁１２の折り曲げ部（ベント梁２の折り曲げ部２ｒ）どうしを橋かけるようにして、折り曲げ部に対して接合されて支持されている。このようにして、接合梁１３が、接合梁１２、１２を介して支持梁１０に接合されている。
【００４６】
以上のようにして、妻側Ａの屋根面１６Ａを横断するように、接合梁１３が隅棟１５から隅棟１５まで配置されている。また、平側Ｂの屋根面１６Ｂを横断するように、接合梁１２、１２の水平部（ベント梁２の水平部２ｑ）が隅棟１５から隅棟１５まで配置されている。すなわち、接合梁１３、１３及び接合梁１２、１２の水平部は、四方に流れる各屋根面１６Ａ、１６Ａ、１６Ｂ、１６Ｂの同じ高さ位置に、四角枠状に配置されている。
【００４７】
以上のように、第一例の小屋組構造においては、二本の支持梁１０、１０が外壁の互いに対向する部分どうしの間に掛け渡されるように配置されているので、二本の支持梁１０、１０が掛け渡された一方の外壁（外壁線１８Ｂ）の上端部から他方の外壁（外壁線１８Ｂ）の上端部に至るまで、二本の支持梁１０、１０下方の屋根裏空間を確保することができる。
これに加えて、接合梁１２…が直接的に、接合梁１３、１３が接合梁１２を介して間接的に、二本の支持梁１０、１０に接合されているので、二本の支持梁１０、１０下方の屋根裏空間と、接合梁１２…、１３、１３下方の屋根裏空間とが連続し、広い屋根裏空間を確保することができる。
【００４８】
したがって、第一例の小屋組構造においては、棟方向に連続した広い屋根裏空間を確保することができ、屋根内部の空間を有効に利用することができる。
【００４９】
また、従来と異なり、内壁体上方の屋根支持体などに対して梁が接合されておらず、二本の支持梁１０、１０、接合梁１２…、１３、１３が互いに接合されて小屋組構造を構成している。したがって、間取りによって制約される内壁体の位置に関係なく、梁１０、１２、１３同士を、全体にバランス良く配置でき、梁１０、１２、１３の長さ、サイズなどを共通化できる。
【００５０】
また、寄棟屋根の四方に流れる各屋根面１６Ａ、１６Ａ、１６Ｂ、１６Ｂに、水平とされる梁（接合梁１３、１３、接合梁１２、１２の水平部）をそれぞれ設けることができる。
【００５１】
また、各屋根面１６Ａ、１６Ａ、１６Ｂ、１６Ｂの同じ高さ位置に水平とされる梁（接合梁１３、１３、接合梁１２、１２の水平部）がそれぞれ設けられているので、棟１４から接合梁１２、１３にわたって配置される屋根面構成部材（例えば屋根パネルなど）のサイズを共通なものとすることができ、部材共通化を図ることができる。
【００５２】
なお、第一例の小屋組構造は寄棟屋根に用いられるものとしたが、これに限らず、基本構造が寄棟屋根である屋根に適用可能である。例えば、第一例の小屋組構造を、雁行屋根や、入母屋屋根などに適用しても良い。
【００５３】
また、各梁はＨ型鋼であるものとしたが、これに限らず、例えば、構造用木材などにより構成されるものとしても良い。
【００５４】
また、棟方向Ｘにおける寄棟屋根の長さが比較的大きくなった場合には、支持梁１０、１０に並列するように、別途支持梁を設けるものとしても良い。この場合には、支持梁１０と、別途に設けられた支持梁との間で、水平な梁である接合梁を掛け渡すようにする。この構成により、棟方向に連続した広い屋根裏空間を確保することができる。
【００５５】
また、図１に示されるように、接合梁１２…に対して、登り梁１３ａ…を架けた構造としても良い（図１中の点線）。この場合には、小屋組を補強でき、接合梁１２…、１３、１３の負担を軽減できる。
【００５６】
＜第二の実施形態例＞
以下に、本発明の第二の実施形態例の小屋組構造について、図６を参照して説明する。なお、以下の実施形態例においては、第一例と同様の構成については、その説明を省略する。
【００５７】
図６は、第二例の小屋組構造を示す平面図である。第二例の小屋組構造は、二本の支持梁２０、２０と、接合梁２２…、２３…とを備えている。
【００５８】
接合梁２２は、図４に示されるベント梁２とほぼ同様の構成となっている。図６に示されるように、接合梁２２（ベント梁２）は、平面視してほぼ直線状に掛け渡され、かつ、棟方向Ｘに直交するように配置されている。
【００５９】
接合梁２２の登り部（２ｐ）は、平側Ｂの屋根面２６Ｂの裏面側に、屋根の傾斜方向に沿って斜めに配置されている。また、接合梁２２の水平部（２ｑ）は、妻側Ａの屋根面１６Ａの裏面側に、屋根に沿って水平に配置されている。接合梁２２の折り曲げ部（２ｒ）は、隅棟２５の裏側に配置されている。
【００６０】
接合梁２２の下側の端部となる接合部２２ｂ（２ｂ）は、外壁線２８Ｂ、２８Ｂの位置に配置された外壁の、互いに対向する部分の上端部にそれぞれ接合されて支持されている。また、二本の接合梁２２、２２の上側の端部となる接合部２２ａ、２２ａ（２ａ）どうしは、互いに接合されている。
【００６１】
なお、接合梁２２、２２の代わりに、登り梁とベント梁とを組み合わせて、一方の平側Ｂから他方の平側Ｂへ梁を架け渡すようにして配置しても良い。また、登り梁とベント梁とをあらかじめ接合あるいは一体成形した山型ベント梁（例えば図９（ｂ）に示される山型ベント梁４０’）を、接合梁２２、２２の代わりに配置するものとしてもよい。
【００６２】
接合梁２３は、図５に示される水平な梁３とほぼ同様の構成となっている。図６に示されるように、接合梁２３（水平な梁３）は、棟２４に対して対称となるように、各平側Ｂに二本ずつ設けられている。各平側Ｂにおいて、支持梁２０に対して対称となるように、平側Ｂの屋根面２６Ｂの裏面側に、接合梁２３、２３が屋根に沿って水平に配置されている。
また、接合梁２３の両端となる接合部（３ａ、３ａ）は、支持梁２０と接合梁２２の折り曲げ部とに対してそれぞれ接合されている。
【００６３】
以上のようにして、平側Ｂの屋根面２６Ｂを横断するように、接合梁２３、２３が隅棟２５から隅棟２５まで配置されている。また、妻側Ａの屋根面２６Ａを横断するように、接合梁２２、２２の水平部（ベント梁２の水平部２ｑ）が隅棟２５から隅棟２５まで配置されている。すなわち、接合梁２３、２３及び接合梁２２、２２の水平部は、四方に流れる各屋根面２６Ａ、２６Ａ、２６Ｂ、２６Ｂの同じ高さ位置に、四角枠状に配置されている。
【００６４】
以上のように、第二例の小屋組構造においては、第一例の小屋組構造と同様に、二本の支持梁２０、２０下方の屋根裏空間と、接合梁２２…、２３…下方の屋根裏空間とが連続し、広い屋根裏空間を確保することができる。
また、二本の支持梁２０、２０を中心として、一方の妻側Ａと他方の妻側Ａとに配置される接合梁２２、２３において、部材の共通化を図ることができる。
また、各屋根面２６Ａ、２６Ａ、２６Ｂ、２６Ｂに、水平とされる梁（接合梁２２…の水平部、接合梁２３…）をそれぞれ設けることができる。
また、棟から接合梁にわたって配置される屋根面構成部材（例えば屋根パネルなど）のサイズを共通なものとすることができ、部材共通化を図ることができる。
【００６５】
なお、図６に示されるように、接合梁２２…に対して、登り梁２３ａ…を架けた構造としても良い（図６中の点線）。この場合には、小屋組を補強でき、接合梁２２…、２３…の負担を軽減できる。
【００６６】
また、接合梁２２、２２を、支持梁２０とは別の、二本の支持梁とみなすものとしても良い。
また、接合梁２２、２２の代わりに、例えば図９の（ｂ）に示されるような、二本の登り梁１と水平な梁３とがあらかじめ接合あるいは一体成形された、山型ベント梁４０’を配置しても良い。
【００６７】
＜第三の実施形態例＞
以下に、本発明の第三の実施形態例の小屋組構造について、図７を参照して説明する。図７は、第三例の小屋組構造を示す平面図である。第三例の小屋組構造は、二本の支持梁３０、３０と、接合梁３１、３１、３２、３２、３３、３３とを備えている。
【００６８】
接合梁３１は、図４に示されるベント梁２とほぼ同様の構成となっている。図７に示されるように、接合梁３１（ベント梁２）は、支持梁３０、３０の上端接合部３０ａ、３０ａに対して対称となるように、各妻側Ａ及び各平側Ｂに一本ずつ、計二本が設けられている。
【００６９】
接合梁３１の登り部（２ｐ）は、妻側Ａの屋根面３６Ａの裏面側に、屋根の傾斜方向に沿って斜めに配置されている。また、接合梁３１の水平部（２ｑ）は、平側Ｂの屋根面３６Ｂの裏面側に、屋根に沿って水平に配置されている。接合梁３１の折り曲げ部（２ｒ）は、隅棟３５の裏側に配置されている。
【００７０】
接合梁３１の下側の端部となる接合部３１ｂ（２ｂ）は、妻側Ａの外壁（外壁線３８Ａ）の上端部に接合されて支持されている。また、接合梁３１の上側の端部となる接合部３１ａ（２ａ）は、支持梁３０に対して側方から突き合わせるようにして接合されている。
【００７１】
接合梁３２は、図４に示されるベント梁２とほぼ同様の構成となっている。図７に示されるように、接合梁３２（ベント梁２）は、支持梁３０、３０の上端接合部３０ａ、３０ａに対して対称となるように、各妻側Ａに一本ずつ設けられている。
【００７２】
接合梁３２の登り部（２ｐ）は、平側Ｂの屋根面３６Ｂの裏面側に、屋根の傾斜方向に沿って斜めに配置されている。また、接合梁３２の水平部（２ｑ）は、妻側Ａの屋根面３６Ａの裏面側に、屋根に沿って水平に配置されている。接合梁３２の折り曲げ部（２ｒ）は、隅棟３５の裏側に配置されている。
【００７３】
接合梁３２の下側の端部となる接合部３２ｂ（２ｂ）は、平側Ｂの外壁（外壁線３８Ｂ）の上端部に接合されて支持されている。また、接合梁３２の上側の端部となる接合部３２ａ（２ａ）は、接合梁３１の折り曲げ部（ベント梁２の折り曲げ部２ｒ）に対して側方から突き合わせるようにして接合されている。このようにして、接合梁３２が、接合梁３１を介して支持梁３０に接合されている。
【００７４】
接合梁３３は、図５に示される水平な梁３とほぼ同様の構成となっている。図７に示されるように、接合梁３３（水平な梁３）は、支持梁３０、３０の上端接合部３０ａ、３０ａに対して対称となるように、各妻側Ａ及び各平側Ｂに一本ずつ、計二本が設けられている。
【００７５】
接合梁３３の一端側の接合部（３ａ）は、支持梁３０に対して接合されている。また、他端側の接合部（３ａ）は、接合梁３２の折り曲げ部（ベント梁２の折り曲げ部２ｒ）に対して接合されている。接合梁３３は、支持梁３０と接合梁３１の折り曲げ部とに掛け渡されている。
【００７６】
以上のようにして、妻側Ａの屋根面３６Ａを横断するように、接合梁３２の水平部（ベント梁２の水平部２ｑ）が隅棟３５から隅棟３５まで配置されている。また、平側Ｂの屋根面３６Ｂを横断するように、接合梁３１の水平部（ベント梁２の水平部２ｑ）と接合梁３３とが隅棟３５から隅棟３５まで配置されている。すなわち、接合梁３１の水平部、接合梁３２の水平部、及び接合梁３３は、四方に流れる各屋根面３６Ａ、３６Ａ、３６Ｂ、３６Ｂの同じ高さ位置に、四角枠状に配置されている。
【００７７】
以上のように、第三例の小屋組構造においては、第一例の小屋組構造と同様に、二本の支持梁３０、３０下方の屋根裏空間と、接合梁３１、３１、３２、３２、３３、３３下方の屋根裏空間とが連続し、広い屋根裏空間を確保することができる。
また、各屋根面３６Ａ、３６Ａ、３６Ｂ、３６Ｂに、水平とされる梁（接合梁３１、３１の水平部、接合梁３２、３２の水平部、接合梁３３、３３）をそれぞれ設けることができる。
また、棟から接合梁にわたって配置される屋根面構成部材（例えば屋根パネルなど）のサイズを共通なものとすることができ、部材共通化を図ることができる。
【００７８】
また、棟３４のほぼ中央となる位置を中心として、各妻側Ａ及び各平側Ｂに配置される接合梁３１、３２、３３において、部材の共通化を図ることができる。
【００７９】
なお、図７に示されるように、接合梁３１、３１、３２、３２に対して、登り梁３３ａ…を架けた構造としても良い（図７中の点線）。この場合には、小屋組を補強でき、接合梁３１、３１、３２、３２の負担を軽減できる。
【００８０】
＜第四の実施形態例＞
以下に、本発明の第四の実施形態例の小屋組構造について、図８及び図９を参照して説明する。
図８は、第四例の小屋組構造を示す平面図である。第四例の小屋組構造は、一方の妻側Ａ１が寄棟状とされ、他方の妻側Ａ２が切妻状とされた片寄棟屋根に用いられている。この小屋組構造は、二本の支持梁４０、４０と、接合梁４３、４３と、二本の登り梁４１、４１とを備えている。
【００８１】
支持梁４０は、図４に示されるベント梁２とほぼ同様の構成となっている。図８に示されるように、二本の支持梁４０、４０（ベント梁２）は、平面視してほぼ直線状に掛け渡され、かつ、棟方向Ｘに直交するように配置されている。
【００８２】
支持梁４０の登り部（２ｐ）は、平側Ｂの屋根面４６Ｂの裏面側に、屋根の傾斜方向に沿って斜めに配置されている。また、支持梁４０の水平部（２ｑ）は、一方の妻側Ａ１の屋根面４６Ａの裏面側に、屋根に沿って水平に配置されている。支持梁４０の折り曲げ部（２ｒ）は、隅棟４５の裏側に配置されている。
【００８３】
支持梁４０の下側の端部となる接合部４０ｂ（２ｂ）は、外壁線４８Ｂ、４８Ｂの位置に配置された外壁の、互いに対向する部分の上端部にそれぞれ接合されて支持されている。また、二本の支持梁４０、４０の上側の端部となる接合部４０ａ、４０ａ（２ａ）どうしは、互いに接合されている。このようにして、外壁の互いに対向する部分どうしの間に、図９の（ａ）に示されるように、二本の支持梁４０、４０によって略台形状が形作られている。
【００８４】
なお、図９に示されるように、ベント梁である二本の支持梁４０、４０を、あらかじめ接合あるいは一体成形することにより、山型ベント梁４０’として配置するものとしてもよい。
【００８５】
また、支持梁４０、４０の代わりに、登り梁とベント梁とを組み合わせて二本の支持梁を構成しても良い。また、登り梁とベント梁とを、あらかじめ接合あるいは一体成形することにより、図９の（ｂ）に示される山型ベント梁４０’として配置するものとしてもよい。この場合、山型ベント梁４０’は、二本の支持梁である登り梁とベント梁とによって構成される梁である。
【００８６】
また、支持梁４０、４０の代わりに、二本の登り梁と水平な梁とを、あらかじめ接合あるいは一体成形して、山型ベント梁４０’して配置するものとしてもよい。この場合、一本の登り梁と水平な梁とからなるベント梁と、もう一本の登り梁とが、二本の支持梁となる。
【００８７】
接合梁４３は、図５に示される水平な梁３とほぼ同様の構成となっている。図８に示されるように、接合梁４３（水平な梁３）は、棟４４に対して対称となるように、各平側Ｂに一本ずつ配置されている。接合梁４３は、平側Ｂの屋根面４６Ｂの裏面側に、屋根に沿って水平に配置されている。
【００８８】
接合梁４３の一端側の接合部（３ａ）は、支持梁４０の折り曲げ部（ベント梁２の折り曲げ部２ｒ）に対して接合されている。また、接合梁４３の他端側の接合部（３ａ）は、妻側Ａ２の外壁（外壁線４９Ａ）の上端部に接合されて支持されている。
【００８９】
登り梁４１は、棟４４に対して対称となるように、妻側１Ａの屋根面４６Ａの裏面側に、屋根の傾斜方向に沿って斜めに配置されている。登り梁４１の上端は、支持梁４０の折り曲げ部（２ｒ）に対して接合されている。また、登り梁４１の下端は、妻側Ａ１の外壁（外壁線４８Ａ）の上端部に接合されて支持されている。
【００９０】
以上のようにして、妻側Ａ１の屋根面４６Ａを横断するように、支持梁４０、４０の水平部（ベント梁２の水平部２ｑ）が隅棟４５から隅棟４５まで配置されている。また、平側Ｂの屋根面４６Ｂを横断するように、接合梁４３が隅棟４５から妻側Ａ２の外壁（外壁線４９Ａ）の上端部まで配置されている。すなわち、支持梁４０、４０の水平部及び接合梁４３、４３は、各屋根面４６Ａ、４６Ｂ、４６Ｂの同じ高さ位置に、コ字状に配置されている。
【００９１】
以上のように、第四例の小屋組構造においては、第一例の小屋組構造と同様に、二本の支持梁４０、４０下方の屋根裏空間と、接合梁４３、４３下方の屋根裏間とが連続し、広い屋根裏空間を確保することができる。
また、各屋根面４６Ａ、４６Ｂ、４６Ｂに、水平とされる梁（接合梁４０、４０の水平部、接合梁４３、４３）をそれぞれ設けることができる。
また、棟から接合梁にわたって配置される屋根面構成部材（例えば屋根パネルなど）のサイズを共通なものとすることができ、部材共通化を図ることができる。
【００９２】
また、棟４４を中心として、一方の平側Ｂと他方の平側Ｂとに配置される接合梁４３、４３において、部材の共通化を図ることができる。
【００９３】
＜第五の実施形態例＞
以下に、本発明の第五の実施形態例の小屋組構造について、図１０及び図１１を参照して説明する。図１０は、第五例の小屋組構造を示す平面図である。第五例の小屋組構造は、二本の支持梁５０、６０と、接合梁５２…、５３、５３とを備えている。
【００９４】
この小屋組構造は、主となる主屋根５と、従屋根６とを備えた寄棟屋根に用いられている。従屋根６は、主屋根５の一方の平側Ｂ１の屋根面５７Ｂから延出して設けられている。従屋根６の棟６４は、主屋根５の棟５４と平面視して直交する方向に沿っており、また、棟５４よりも低くされている。また、従屋根６において、主屋根５の反対側となる妻側（主屋根５の一方の平側Ｂ１）は、寄棟状とされている。
【００９５】
支持梁５０、６０は、図４に示されるベント梁２とほぼ同様の構成となっている。図１０に示されるように、支持梁５０、６０（ベント梁２）は、平面視してほぼ直線状に掛け渡され、かつ、棟方向Ｘに直交するように配置されている。
【００９６】
支持梁６０の下側の端部となる接合部６０ｂ（２ｂ）は、外壁線６８Ｂの位置に配置された外壁の上端部に接合されて支持されている。
【００９７】
支持梁６０の登り部（２ｐ）は、従屋根６の妻側（主屋根５の一方の平側Ｂ１）に流れる妻側屋根面６６Ｂの裏面側に、屋根の傾斜方向に沿って斜めに配置されている。また、支持梁６０の水平部（２ｑ）は、従屋根６の棟６４の裏側に、棟６４に沿って水平に配置されている。
【００９８】
また、支持梁５０の登り部（２ｐ）は、平側Ｂ２の屋根面５６Ｂの裏面側に、屋根の傾斜方向に沿って斜めに配置されている。また、支持梁５０の水平部（２ｑ）は、支持梁６０の水平部と同じ高さ位置に、水平に配置されている。
【００９９】
支持梁５０、６０の下側の端部となる接合部５０ｂ、６０ｂ（２ｂ）は、外壁線５８Ｂ、６８Ｂの位置に配置された外壁の、互いに対向する部分の上端部にそれぞれ接合されて支持されている。また、二本の支持梁５０、６０の上側の端部となる接合部５０ａ、６０ａ（２ａ）どうしは、互いに接合されている。このようにして、外壁の互いに対向する部分どうしの間に、図１０に示されるように、二本の支持梁５０、６０によって略台形状が形作られている。
【０１００】
接合梁５２は、図４に示されるベント梁２とほぼ同様の構成となっており、また、接合梁５３は、図５に示される水平な梁３とほぼ同様の構成となっている。接合梁５２、５３の構成は、第一例の接合梁１２、１３とほぼ同様であるので、説明を省略する。
【０１０１】
以上のように、第五例の小屋組構造においては、二本の支持梁５０、６０下方の屋根裏空間と、接合梁５２…、５３、５３下方の屋根裏空間とが連続し、広い屋根裏空間を確保することができる。したがって、従屋根６の屋根裏と、主屋根５の屋根裏とが連続するので、屋根内部の広い空間を有効に利用することができる。
【０１０２】
また、第五例の小屋組構造においては、第一例の小屋組構造と同様に、二本の支持梁５０、６０を中心として、一方の妻側Ａと他方の妻側Ａとに配置される接合梁５２、５３において、部材の共通化を図ることができる。
また、各屋根面５６Ａ、５６Ａ、５６Ｂ、５７Ｂに、水平とされる梁（接合梁５２…の水平部、接合梁５３…）をそれぞれ設けることができる。
また、棟から接合梁にわたって配置される屋根面構成部材（例えば屋根パネルなど）のサイズを共通なものとすることができ、部材共通化を図ることができる。
【０１０３】
なお、図１０に示されるように、接合梁５２…に対して、登り梁５３ａ…を架けた構造としても良い（図１０中の点線）。この場合には、小屋組を補強でき、接合梁５２…、５３、５３の負担を軽減できる。
【０１０４】
【発明の効果】
以上説明したように、本発明の請求項１の小屋組構造によれば、二本の支持梁下方の屋根裏空間と、接合梁下方の屋根裏空間とが連続し、広い屋根裏空間を確保することができる。したがって、棟木方向が比較的長い家屋においても、棟方向に連続した屋根裏空間を確保でき、屋根内部の広い空間を有効に利用することができる。また、小屋組構造を構成する梁同士を、対称的に配置できるので、梁の長さ、サイズなどを共通化できる。
【０１０５】
請求項２の小屋組構造によれば、請求項１と同様の効果を得ることができるのは勿論のこと、二本の支持梁を中心として、対称的に接合梁を配置することができる。したがって、互いに対称に配置される接合梁において、部材の共通化を図ることができる。
【０１０６】
請求項３の小屋組構造によれば、請求項２と同様の効果を得ることができるのは勿論のこと、寄棟屋根の各屋根面に、水平とされる梁を少なくとも一本設けることができる。また、棟から軒にわたって配置される屋根面構成部材を、少なくとも棟からの距離が同じである接合梁によって、下方から支持することができる。
【０１０７】
請求項４の小屋組構造によれば、請求項１と同様の効果を得ることができるのは勿論のこと、片寄棟屋根の各屋根面に、水平とされる梁を少なくとも一本設けることができる。また、棟から軒にわたって配置される屋根面構成部材を、少なくとも棟からの距離が同じである接合梁によって、下方から支持することができる。
【０１０８】
請求項５の小屋組構造によれば、請求項１から３のいずれかと同様の効果を得ることができるのは勿論のこと、従屋根の屋根裏空間と、主屋根の屋根裏空間とが連続し、屋根内部の広い空間を有効に利用することができる。
【図面の簡単な説明】
【図１】本発明に係る小屋組構造の第一例を示すもので、梁および屋根面を示す平面図である。
【図２】同、支持梁の配置関係を説明するための概略側面図である。
【図３】同、登り梁を示す側面図である。
【図４】同、ベント梁を示す側面図である。
【図５】同、水平な梁を示す側面図である。
【図６】本発明に係る小屋組構造の第二例を示すもので、梁および屋根面を示す平面図である。
【図７】本発明に係る小屋組構造の第三例を示すもので、梁および屋根面を示す平面図である。
【図８】本発明に係る小屋組構造の第四例を示すもので、梁および屋根面を示す平面図である。
【図９】同、支持梁の配置関係を説明するための概略側面図である。
【図１０】本発明に係る小屋組構造の第五例を示すもので、梁および屋根面を示す平面図である。
【図１１】同、支持梁の配置関係を説明するための概略側面図である。
【符号の説明】
１    登り梁
２    ベント梁
２ｐ  登り部
２ｑ  水平部
２ｒ  折り曲げ部（上端部）
３    水平な梁
１０  支持梁
１０ａ  接合部（上側の端部）
１０ｂ  接合部（下側の端部）
１２、１３  接合梁
１４  棟
１５  隅棟
１６Ａ、１６Ｂ  屋根面
Ａ  妻側
Ｂ  平側
Ｘ  棟方向
５  主屋根
６  従屋根
【図１】
0004267160.tif 000002
【図２】
0004267160.tif 000003
【図３】
0004267160.tif 000004
【図４】
0004267160.tif 000005
【図５】
0004267160.tif 000006
【図６】
0004267160.tif 000007
【図７】
0004267160.tif 000008
【図８】
0004267160.tif 000009
【図９】
0004267160.tif 000010
【図１０】
0004267160.tif 000011
【図１１】
0004267160.tif 000012